(57)【要約】【課題】芳香剤が周囲に飛散せず、しかも必要な時に好みの強度で香りを嗅ぐことができ、更に紙、布等の芳香剤保持部材を繰り返し利用できる芳香剤装置を提供する。【解決手段】芳香剤装置１は、容器本体２内に芳香剤を噴射するスプレー３を収容し、位置決め部材６によって噴射方向を固定する構成になっている。また、容器本体２内には芳香剤保持部材４が保持具５と一体に引き出し可能に装着されている。使用に際しては、スプレー３を容器本体２外から操作し、芳香剤を芳香剤保持部材４に向けて噴射させる。この後、芳香剤保持部材４を保持具５と一体に容器本体２外に引き出し、香りを嗅ぎ、嗅ぎ終わった後に容器本体２内に差し込んで繰り返し利用する。【選択図】図１
2009297098.tif 000002
【特許請求の範囲】
【請求項１】
芳香剤を収容し押動部の押動に対応して噴射口から前記芳香剤を噴射するスプレーと、
閉空間を画成し前記スプレーを収納する容器本体と、
前記スプレーの前記押動部を前記容器本体の外部から押動操作する操作部と、
前記容器本体に装脱自在に装着され、装着時に前記スプレーの前記噴射口に対向する位置に位置決めされて噴射された前記芳香剤を保持する芳香剤保持部材と、
を備えたことを特徴とする芳香剤装置。
【請求項２】
前記芳香剤保持部材は、前記容器本体内に装脱自在に装填される保持具に取付けられていることを特徴とする請求項１に記載の芳香剤装置。
【請求項３】
芳香剤を収容し押動部の押動に対応して噴射口から前記芳香剤を噴射するスプレーと、
一端が開口部に形成され、他端が閉塞された筒状体の一部に軸方向に弾性的に変形する蛇腹部が設けられた前記スプレーを収容する容器本体と、
前記開口部を開閉するように前記容器本体に着脱自在に装着され、装着状態で前記スプレーの前記噴射口に対向する内側面を有する蓋体と、
前記蓋体の内側面に設けられた芳香剤保持部材と、
を備え、
前記蓋体を軸方向に押圧することにより前記容器本体を軸方向に短縮させるとともに前記スプレーの前記押動部を押動して前記芳香剤を前記芳香剤保持部材に噴射する
ことを特徴とする芳香剤装置。
【発明の詳細な説明】
【技術分野】
【０００１】
本発明は、香りを発散させる芳香剤装置に関し、特に香り見本として好ましく用いられ、芳香剤が周囲に飛散せず、芳香剤の不要な消費、不要な揮散を防止するように構成した芳香剤装置に関する。
【背景技術】
【０００２】
従来から、芳香剤を収容した容器から大気中に芳香を揮散させ、香りを楽しむ芳香剤容器が提案されている。
【０００３】
下記特許文献１には、アロマ溶液と、該アロマ溶液を入れるための中空容器と、該中空容器の上方部に装着され、上部に鼻空吸入用の孔を有するノズル体と、前記中空容器に挿入する多孔質担持体と、前記中空容器を密閉するキャップを備えた「携帯式アロマキャリア」が開示されている。この「携帯式アロマキャリア」は、芳香液を持ち運び、必要な時に鼻から吸入することができる。
【０００４】
また、下記特許文献２には、芳香剤を収納し、バルブを開閉するステムを具えたエアゾール容器と、ステム係合筒を具え、吸収体を具えた吸着揮散体とからなり、前記ステム係合筒にステムに連通する噴出孔を設け、微細な通路を形成した多孔体を取着している「芳香剤装置」が開示されている。この「芳香剤装置」は、芳香液を入れたエアゾール容器と吸着揮散体が一体化されている。
【０００５】
【特許文献１】実用新案登録第３１３２２９２号公報
【特許文献２】特開２００６−３３９６８号公報
【発明の開示】
【発明が解決しようとする課題】
【０００６】
しかし、特許文献１に記載の「携帯式アロマキャリア」は、担持体に含まれる芳香液の量が決まっており、香りの強度の調節が困難である。
【０００７】
また、特許文献２に記載の「芳香剤容器」は、バルブは常時開放され、吸着揮散体も常時露出しているため、常に香りを揮散させた状態にあり、また、香りの強度も調節することができない。
【０００８】
一方、芳香剤容器の使用形態は、室内等で個人が香りを楽しむ他にも、香り見本の提供のため、化粧品店や食品店の店頭等で使用されることがある。この場合、ある芳香剤の香りを嗅いでから別の芳香剤の香りを嗅ぐこともあり、前の香りが必要以上に周囲に飛散すると、香りの判断のさまたげになる。従って、芳香液を常時揮散させている芳香剤容器や、揮散量を調節できない芳香剤容器は、前記使用形態に適していない。更に、容器が転倒して芳香液がこぼれたり、また、スプレーの噴射量が多いと芳香液が衣服に付着する等の問題点もあり、芳香液が周囲に飛散することは好ましくない。
【０００９】
本発明は、前記問題点に鑑みてなされたものであり、その目的は、芳香剤が外部に飛散したりこぼれたりせず、不要時には芳香剤の揮散を抑制でき、必要なときにのみ芳香剤を揮散させて香りを嗅ぐことができ、香りの強度を調節できる芳香剤装置を提供することにある。
【課題を解決するための手段】
【００１０】
本発明の上記目的は、下記構成により達成される。
（１）  芳香剤を収容し押動部の押動に対応して噴射口から前記芳香剤を噴射するスプレーと、
閉空間を画成し前記スプレーを収納する容器本体と、
前記スプレーの前記押動部を前記容器本体の外部から押動操作する操作部と、
前記容器本体に装脱自在に装着され、装着時に前記スプレーの前記噴射口に対向する位置に位置決めされて噴射された前記芳香剤を保持する芳香剤保持部材と、
を備えたことを特徴とする芳香剤装置。
【００１１】
（２）  前記芳香剤保持部材は、前記容器本体内に装脱自在に装填される保持具に取付けられていることを特徴とする前記（１）に記載の芳香剤装置。
【００１２】
（３）  芳香剤を収容し押動部の押動に対応して噴射口から芳香剤を噴射するスプレーと、
一端が開口部に形成され、他端が閉塞された筒状体の一部に軸方向に弾性的に変形する蛇腹部が設けられた前記スプレーを収容する容器本体と、
前記開口部を開閉するように前記容器本体に着脱自在に装着され、装着状態で前記スプレーの前記噴射口に対向する内側面を有する蓋体と、
前記蓋体の内側面に設けられた芳香剤保持部材と、
を備え、
前記蓋体を軸方向に押圧することにより前記容器本体を軸方向に短縮させるとともに前記スプレーの前記押動部を押動して前記芳香剤を前記芳香剤保持部材に噴射する
ことを特徴とする芳香剤装置。
【００１３】
前記（１）の構成によれば、芳香剤が周囲に飛散せずに必要に応じてスプレーにより芳香剤保持部材に向けて芳香剤を噴射した後、芳香剤保持部材を容器本体から抜き出して香りを嗅ぐことができる。また、前記スプレーの前記押動部を前記容器本体外から押動操作する操作部を設けたことにより、容器本体の外から操作部を押すことで、芳香剤が芳香剤保持部材に向けて確実に噴射される。
【００１４】
前記（２）の構成によれば、芳香剤を噴射された芳香剤保持部材を保持具と一体に抜き出してから香りを嗅ぎ、香りを嗅いだ後は容器本体内に再度装填することができ、芳香剤保持部材の繰り返し利用が可能になる。
【００１５】
前記（３）の構成によれば、スプレーの芳香剤噴出口が蓋体の内側面に設けられた芳香剤保持部材に対向している。従って、芳香剤を噴射した後、蓋体を外して香りを嗅ぐことができる。
【００１６】
また、スプレーの噴射方向を固定する必要はなく、位置決め部材等は不要である。更に、容器本体自体が蛇腹構造により伸縮変形するので、容器本体に取付けられた蓋体を押すことにより、スプレーを操作することができ、容器全体の構造の簡略化、小型化、部品点数の削減を図ることができる。
【００１７】
前記（１）の構成において、前記スプレーの前記噴射口を前記芳香剤保持部材に対向する位置に位置決めする位置決め部材を設けた構成であってもよい。
【００１８】
この構成によれば、前記スプレーの前記噴射口を前記芳香剤保持部材に対向する位置に位置決めする位置決め部材を設けたことにより、芳香剤が芳香剤保持部材に向けて確実に噴射される。
【００１９】
また、前記（１）の構成において、前記容器本体は、前記噴射口に対向する開口が設けられ、板状の保持具が、前記容器本体の外側面から前記開口を閉塞する位置に直線移動または回動により位置決めされる構成であってもよい。
【００２０】
この構成によれば、前記容器本体は、前記噴射口に対向する開口が設けられ、板状の保持具が、前記容器本体の外側面から前記開口を閉塞する位置に直線移動または回動により位置決めされるので、板状の保持具を芳香剤揮散位置に簡単に移動させることができる。また、芳香剤保持部材は常に容器本体の外側面に在るので、芳香剤を噴射した後、容器本体を手で持って香りを嗅ぐことができる。
【００２１】
また、前記（１）の構成において、前記容器本体は、前記噴射口に対向する開口が設けられるとともに該開口を閉塞するように前記容器本体に着脱自在に装着される保持部材用容器を更に備えられ、前記芳香剤保持部材は、前記保持部材用容器内に設けられている構成であってもよい。
【００２２】
この構成によれば、前記容器本体は、前記噴射口に対向する開口が設けられるとともに該開口を閉塞するように前記容器本体に着脱自在に装着される保持部材用容器を更に備えられ、前記芳香剤保持部材は、前記保持部材用容器内に設けられているので、芳香剤保持部材に芳香剤を噴射した後、保持部材用容器と一体に芳香剤保持部材を取り外して香りを嗅ぐことができ、香りを嗅いだ後に保持部材用容器を容器本体に再度装着して繰り返し利用することができる。
【００２３】
本発明における芳香剤保持部材は、その材質として芳香剤を充分に含浸して保持でき、且つ芳香剤を揮散できるものであればいずれのものでも使用でき、例えば、プラスチック、パルプ等の有機質材料やセラミック、ガラス等の無機質材料の多孔性材料を用いることができる。本発明においてはパルプ製のものが保持力があり揮散がより安定していて安価であるので好ましい。また、本発明における芳香剤保持部材は、適宜取り替えることができる。
【００２４】
本発明に用いることができる芳香剤の芳香成分としては、例えば、ハッカ油、ペパーミント油、スペアミント油、イグサ、ヒノキ、シトロネラ、シトラール、シトロネラール、レモン、レモングラス、オレンジ、ユーカリ、ラベンダー等の精油成分及びそれらから得られる芳香成分を挙げることができる。必要に応じて併用できる消臭成分としては、例えば、メタクリル酸ラウリル、メチル化サイクロデキストリン、植物抽出エキス（例えば、ツバキ、バラ、キク、マツ、スギ、オオバコ等から得られるエキス）、植物精油（例えば、茶抽出物、カテキン、植物ポリフェノール、リナロール、メントール、ボルネオール）、界面活性剤等が挙げられる。
【００２５】
芳香剤中における芳香成分は、製剤全重量に対して、例えば０．５〜１０重量％、好ましくは１〜５重量％である。芳香剤は、その他の添加剤として、グリセリン又はその誘導体、脂肪酸又はその誘導体、アルコール、多価アルコール又はこれらの誘導体、界面活性剤（例えば、アルキル硫酸ナトリウム、ポリオキシエチレン脂肪酸エステルなど）、タール色素、ベンガラ等の色素、防腐剤等の保存剤などを含有することもできる。芳香剤は、更にキレート剤、粘度調整剤、比重調整剤、紫外線防止剤、酸化防止剤等を含んでいてもよい。本発明における芳香剤は、上記各成分を、水、アルコール、有機溶媒等を用いて適宜調整することができる。また、必要に応じて、液化石油ガス、ジメチルエーテル、圧縮ガス等の噴射剤を用いてエアゾール式としてもよい。
【発明の効果】
【００２６】
以上に説明したように、本発明によれば、必要に応じてスプレーを操作し、芳香剤を芳香剤保持部材に向けて噴射し、芳香剤保持部材を保持具と一体で揮散位置に移動させて、芳香剤保持部材を鼻に近づけて香りを嗅ぐことができる。そして、香りを嗅いだ後は、芳香剤保持部材を芳香剤が揮散しない初期の状態にすることで、芳香剤が周囲に揮散することがない。
【００２７】
更に、香りを強くしたい場合は、芳香剤保持部材に繰り返し芳香剤を噴射すればよく、香りの強度調節が可能である。
【００２８】
また、芳香剤保持部材は繰り返し利用が可能であり、環境保全、省資源を図ることができる。
【００２９】
また、芳香剤を収容したスプレーは、容器本体内に収容されているので、転倒したり、スプレーの噴射口から芳香剤が滴下したとしても容器周囲の汚れを防止することができ、店頭における清潔状態を保つことができる。
【発明を実施するための最良の形態】
【００３０】
以下、本発明に係る好適な実施形態を図面に基づいて詳細に説明する。
第１実施形態
図１は本発明に係る第１実施形態の芳香剤装置１の構成を示す分解斜視図、図２は芳香剤装置１の構成を示す断面図、図３（ａ）は板状の保持具の分解斜視図、図３（ｂ）は板状の保持具の変形例の斜視図である。
【００３１】
図１〜図３に示されるように、芳香剤装置１は、縦長の箱状に構成した容器本体２と、芳香剤を噴射するスプレー３と、噴射された芳香剤を保持する芳香剤保持部材４を備えた板状の保持具５と、前記スプレー３の押動部３ａに固着され前記スプレー３による芳香剤の噴射方向を固定する位置決め部材６と、前記位置決め部材６に固着され前記スプレー３の押動部３ａを手指等で押動操作する操作部7等を備えている。
【００３２】
容器本体２は、例えば合成樹脂を用いて箱状に成型したものであり、容器本体２内の下部にはスプレー３の筒状部３ｂをがたつき無く保持する位置決め穴１１を形成した保持部材１２が設けられている。また容器本体２の上部には、ヒンジ１３を介して板状の蓋部１４が設けられている。そして蓋部１４には、容器本体２内にスプレー３を収容して蓋部１４を閉じたとき、押動部３ａを挿通させる挿通孔１５と、板状の保持具５を挿通させるための細長のスリット１６が形成されている。
【００３３】
更に、容器本体２の側面内部には、前記板状の保持具５を装脱自在に案内するガイド部１７が形成されている。
【００３４】
前記容器本体２内にスプレー３を収容する場合、容器本体２内に矢印Ａで示すようにスプレー３を収容し、押動部３ａの頂部に位置決め部材６を接着剤や接着テープ等で固定する。位置決め部材６は平板状であるが、その縦横寸法は容器本体２内に遊嵌するように設定されている。従って、押動部３ａは噴射口３ｃの向きが芳香剤保持部材４に向けて固定される。このように、スプレー３は、下部が位置決め穴１１に嵌合して安定に保持され、上部の押動部３ａが位置決め部材６により芳香剤保持部材４に向けて位置決めされることになる。
【００３５】
この状態で蓋部１４を閉じると、図２に示すように蓋部１４の上面に、操作部７が突出する。次いで、スリット１６に矢印Ｂで示すように予め芳香剤保持部材４を保持した板状の保持具５を差し込む。この結果、図２に示すようにスプレー３の芳香剤噴出方向Cに対向する位置に、芳香剤保持部材4が位置決めされる。
【００３６】
以上のように芳香剤装置１を組み立てた状態で、手指等により操作部７を下方に押すと、位置決め部材6を介して押動部３ａが下方に押動され、図2に矢印Cで示すように芳香剤が噴出され、芳香剤保持部材４に含浸保持される。次いで手指を離すと、押動部３ａが自動的に上方に、即ち元の位置に復帰して芳香剤噴出が停止する。
【００３７】
そして、板状の保持具５の上端を摘んで引き上げると、芳香剤の香りを嗅ぐことができる。
【００３８】
なお、板状の保持具５は、図３（ａ）に示すように、例えば厚肉の板５ａの両面に薄肉の板５ｂ、５ｂを重ね合わせて固着して構成されている。厚肉の板５ａは帯状の芳香剤保持部材４を収容するための帯状の収容部５ｃを有し、薄肉の板５ｂはスプレー３の噴射口３ｃに対向する開口部５ｄを有する。芳香剤保持部材４は開口部５ｄから収容部５ｃに挿入される。厚肉の板５ａの下端部には一対のストッパ５ｅが設けられており、板状の保持具５を引き上げたときに、容器本体２から抜け出ないようになっている。なお、ストッパ５ｅは薄肉の板５ｂに設けられてもよい。
【００３９】
また、図３（ｂ）は板状の保持具５の変形例を表す。板状の保持具５は、図３（ｂ）に示すようにヒンジ５ｆを介して重ね合わせ得るように接続された２枚の板５ｇ間に芳香剤保持部材４を挟み込む構成であってもよい。２枚の板５ｇには、それぞれ開口部５ｈが形成され、その開口位置は、図２に示すように組み立てた時、スプレー３の噴射口３ｃに対向するようになっている。
【００４０】
そして、各開口部５ｄ、５ｈは芳香剤保持部材４により塞がれるのであるから、前記のように芳香剤を噴射すると、芳香剤が芳香剤保持部材４に含浸保持されることになる。
【００４１】
なお、板状の保持具５の構成は前記に限定されず、単に一枚の板に芳香剤保持部材４を接着した構成であってもよい。
【００４２】
なお、蓋部１４の挿通孔１５及びスリット１６は、押動部７及び板状の保持具５がそれぞれ挿通でき且つ気密に構成することが好ましく、気密に構成することにより、本体容器２内から芳香剤の香りが外部に漏れることを防止することができる。しかし、使用環境等により、芳香剤の香りが容器本体２内から外部に多少漏れても何ら問題がなければ、挿通孔１５及びスリット１６の高い気密性は要求されず、挿通孔１５及びスリット１６は完全に気密でなくてもよい。
【００４３】
以上の説明から明らかなように、本実施形態における芳香剤装置１は、操作部７を押動しなければ芳香剤が噴出されない。従って、香りを嗅ぐ必要のない時は、芳香剤装置１の設置場所に不必要な香りが漂うことはない。また、香りを嗅ぐ必要があるときは、操作部７を押動して噴射口３ｃから芳香剤を芳香剤保持部材４に噴射する。そして、前記のように芳香剤を含浸保持させた芳香剤保持部材４を保持した板状の保持具５を引き出して香りを嗅ぐことにより、芳香剤の香りを満喫することができる。
【００４４】
また、スプレー３は容器本体２内に収容され、板状の保持具５もガイド部１７に沿って容器本体２内に収納されているので芳香剤装置１の周面及び周囲環境が汚れることがなく、板状の保持具５を鼻の近傍に寄せて香りを嗅ぎ取る場合、不潔感が生じない。更に、芳香剤は、必要な時にのみ噴出されるので、無駄な消費を防止できる。
【００４５】
このため、本実施形態における芳香剤装置１は、例えば香水店、化粧品店、食品店等における香り見本として店頭に置く場合に好適である。更に、芳香剤、アロマテラピーとして個人で楽しむこともできる。
【００４６】
なお、前記スプレー３としては、エアゾール式やポンプ式等を適用することができる。エアゾール式とする場合は、前記の噴射剤を用いればよい。
芳香剤については、例えばラベンダーやペパーミント、レモン、オレンジ、アップル等の果物の香りの芳香剤、チョコレートやピーナッツバター等の食品の香りを発する芳香剤、化粧水等を適用してもよい。
【００４７】
また、芳香剤保持部材４としては、例えば紙、綿、不織布、樹脂、繊維、セラミック等を用いることができ、芳香剤により変質しない材質を適用できる。
【００４８】
第２実施形態
図４は芳香剤装置１の構成を示す斜視図である。本実施形態における芳香剤装置１の内部構造は、前記第１実施形態の構成と同様であってよい。ただし、容器本体２の側面に開口部２１が設けられ、その外側に板状の保持具５を上下方向にスライド可能に保持するためのガイド部１７が設けられている。容器本体２又は保持具５には、開口部２１が露出しないように保持具５の位置を制限するストッパを設けてもよい。
【００４９】
板状の保持具５には、前記同様に芳香剤保持部材４が設けられている。ただし、板状の保持具５の外面には開口部が形成されてなく、芳香剤保持部材４は容器本体２の開口部２１側だけに露出しており、外面側には露出していない。
【００５０】
芳香剤の香りを嗅ぐ場合は、前記同様に板状の保持具５をガイド部１７に挿入し、開口部２１を芳香剤保持部材４で塞ぐ位置に位置決めする。この状態で操作部７を手指で押動すると、図示しないスプレーから芳香剤が噴出し、芳香剤保持部４に染み込む。この状態で板状の保持具５を上方に引き出すことにより、芳香剤の香りを嗅ぐことができる。
【００５１】
以上のように、本実施形態においても、前記第１実施形態と同様に、必要時にのみ、芳香剤の香りを簡便に、しかも周囲に飛散させることなく嗅ぐことができ、前記同様の効果が得られる。更に、本実施形態によれば、構成を更に簡略化することができる。
【００５２】
スプレー３の構成、芳香剤の種類、芳香剤保持部材の材質等は、前記第１実施形態と同様であってよい。
【００５３】
第３実施形態
図５は芳香剤装置１の構成を示す斜視図である。本実施形態における芳香剤装置１の内部構造は、前記第１実施形態で説明した構成と同様であってよい。ただし、容器本体２の側面には、第２実施形態と同様に開口部２１が設けられている。
【００５４】
一方、板状の保持具５はピン２２を中心として、開口部２１を形成した側面に沿うように回動する構成になっている。また、板状の保持具５にも前記同様に芳香剤保持部材４が設けられている。ただし、板状の保持具５の外面には開口部が形成されてなく、芳香剤保持部材４は容器本体２の開口部２１側だけに露出しており、外面側には露出していない。
【００５５】
この構成によれば、板状の保持具５が想像線で示す位置にある、開口部２１を閉塞した状態で、操作部７を手指等で押動することにより、芳香剤が噴射されて芳香剤保持部材４に含浸保持されることになる。
【００５６】
そして、芳香剤の香りを嗅ぐ場合は、実線で示すように板状の保持具５を回動させて、前記第２実施形態同様に容器本体２全体を手に持って芳香剤保持部材４を鼻の近傍に近づける。
【００５７】
本実施形態によっても、前記第１及び第２実施形態同様の効果が得られる。更に、本実施形態によれば、構成を更に簡略化することができる。
【００５８】
また、本実施形態を変形して、図６のように構成することもできる。なお、図６において先に説明した部材と同じ部材については、同符号を付しその説明は省略する。
【００５９】
図６に示すように、容器本体２は円柱の１／４の形状に形成され、開口部２１を有する面が扇形に形成されている。また、保持具５も同じ大きさの扇形に形成されている。そして、保持具５を回動させて芳香剤保持部材４を外部に露出させるとともに、開口部２１を保持具５で閉塞することができる。この構成によれば、容器本体２内に噴射された芳香剤が、香りを嗅いでいるときに開口部２１から外部に拡散することがない。
【００６０】
第４実施形態
図７は本実施形態における容器本体１の構成を示す一部切り欠き斜視図、図８は容器本体１の一部拡大断面図である。
【００６１】
容器本体１の側面には、円形の開口部２１が設けられ、この開口部２１に図７及び図８に示すようにコップ型保持具２３が差し込み等により着脱自在に取付けられる。本実施形態における芳香剤保持部材４は、前記各実施形態とは異なり、コップ型保持具２３内に装着されている。この場合、芳香剤保持部材４は、コップ型保持具２３の内面に装着するものでもよいが、図８に示すように、コップ型保持具２３内に充填するものであってもよい。
【００６２】
なお、一部に内部構造を示したように、スプレー３等の構成は、前記各実施形態と同様であってよい。
【００６３】
芳香剤の香りを嗅ぐ場合は、図８に示すように開口部２１にコップ型保持具２３を装着した状態で、操作部７を手指で押動する。この結果、芳香剤が芳香剤保持部材４に向けて噴射され、芳香剤保持部材４に染み込む。
【００６４】
次に、コップ型保持具２３を開口部２１から取り外し、鼻に近づけて香りを嗅ぐ。香りを嗅いだ後は、開口部２１に再び装着して次の嗅ぎ取りに備える。
【００６５】
本実施形態であっても、前記各実施形態と同様の効果が得られる。更に、本実施形態によれば、構成を更に簡略化することができる。
【００６６】
更に、本実施形態は、図９のように構成することもできる。なお、図９において、先に説明した部材と同じ部材には、同符号を付してその説明は省略する。
【００６７】
図９に示すように、断面Ｌ字形状の保持具５が容器本体２に回動可能に装着され、保持具５の内面には芳香剤保持部材４ａ，４ｂが装着されている。芳香剤保持部材４ａ，４ｂは、保持具５の閉じた状態での鉛直面５ｉ及び水平面５ｊにそれぞれ装着されている。保持具５により開口２１が閉塞された状態でスプレー３から噴射された芳香剤は、ノズル正面の芳香剤保持部材４ａに含浸保持される。また、噴射された芳香剤の一部は、水平状態の芳香剤保持部材４ｂに落下して含浸保持される。そして、スプレー噴射後に保持具５を回動させて、芳香剤保持部材４ａ，４ｂを外部に露出させることにより、香りを嗅ぐことができる。
【００６８】
この構成によれば、保持具５が容器本体２から脱落することがなく、また、芳香剤保持部材４ａ，４ｂを外部に露出させる作業も、保持具５を回動させるだけなので簡単である。
【００６９】
第５実施形態
図１０は芳香剤装置１の外観を示す斜視図、図１１は内部構成を示す断面図、図１２は使用形態を示す斜視図である。
【００７０】
芳香剤装置１を構成する容器本体３１は、軸方向（設置面に垂直方向）に弾性変形可能な樹脂により全体として筒体に形成されているが、一部が蛇腹構造３２に形成されている。また、本実施形態は、単に容器本体３１内にスプレー３を収納した構成であり、第１実施形態で説明した位置決め部材６、操作部７、保持部材１２等は設けられていない。
【００７１】
容器本体３１の上端は、図１１に示すように開口部３３が形成され、その上部にスプレー３の押動部３ａ等が突出した構成になっている。そして、開口部３３全体は蓋体３４により覆われるのであるが、前記蓋体３４の内側面の少なくとも垂直壁面に芳香剤保持部材４が接着等により備えられている。蓋体３４の開口端の寸法は、開口部３３全体を覆う状態で、開口部３３の端部に図示のように嵌め込み得るように設定され、深さは図示の固定状態で頂部が押動部３ａの先端に接触するか、或いは僅かな隙間が形成される程度に設定される。
【００７２】
従って、図１０及び図１１に示すように蓋体３４を容器本体３１に装着した状態で、手指等により蓋体３４の頂部を押すと、蓋体３４が押動部３ａを実線で示す位置から想像線で示すように押し下げる。この結果、矢印Ｃで示すように芳香剤が噴射され、芳香剤保持部材４に含浸保持される。
【００７３】
本実施形態の構成では、芳香剤保持部材４が芳香剤噴射位置の周囲を３６０°の範囲にわたって囲っている。故に、芳香剤の噴射方向を一定の位置に固定する必要がなく、前記位置決め部材６等を省略して構造を簡略化することができる。また、収容されるスプレー３の大きさも限定されず、多種のサイズのスプレー３に対応できる。
【００７４】
以上のように芳香剤を噴射した後、図１２に示すように蓋体３４を容器本体３１から取り外し、芳香剤の香りを嗅ぐことができる。香りを嗅いだ後、蓋体３４を開口部３３に嵌め込み、前記同様の操作を繰り返すことにより、同じ芳香を繰り返し嗅ぐことができる。
【００７５】
本実施形態の構成においても、前記各実施形態と同様に、芳香剤の垂れや衣服への付着を防止して周囲環境の汚れを防止できる上に、芳香の不要な揮散防止、芳香剤の節約等の種々の効果が得られる。また、構造が簡単であることから、部品点数の削減、作業工数の削減を図ることができる。
【００７６】
なお、上記第１〜第５の各実施形態は、香り見本のように必要時のみに香りを嗅ぐ場合に好ましく用いられるが、上記各実施形態において、一定時間保持具を引き出した状態に維持して芳香剤を揮散させて用いることも可能である。
【００７７】
この場合、スプレーにより芳香剤を噴射された芳香剤保持部材は、位置固定用の爪を設ける等、容器本体から外に出ている状態を保持されるように構成される。そして、芳香剤保持部材による芳香剤の保持量が少なくなったときに、芳香剤保持部材をスプレーの噴射口に対向させて、芳香剤を噴射して適宜量を芳香剤保持部材に供給し、その後、芳香剤保持部材を外部に露出するように固定して、芳香剤を揮散させる。したがって、揮散させる芳香剤の量を簡単に調節することができる。
【図面の簡単な説明】
【００７８】
【図１】本発明の第１実施形態を示す芳香剤装置の分解斜視図である。
【図２】芳香剤装置の断面図である。
【図３】（ａ）は板状の保持具の一例を示す分解斜視図、（ｂ）は板状の保持具の変形例の斜視図である。
【図４】本発明の第２実施形態を示す芳香剤装置の展開図である。
【図５】本発明の第３実施形態を示す芳香剤装置の斜視図である。
【図６】図５に示す装置の変形例の斜視図である。
【図７】本発明の第４実施形態を示す芳香剤装置の一部切り欠き斜視図である。
【図８】図７に示す芳香剤装置の構成を示す断面図である。
【図９】本発明の第４実施形態の変形例の要部断面図である。
【図１０】本発明の第５実施形態を示す芳香剤装置の斜視図である。
【図１１】図１０に示す芳香剤装置の構成を示す断面図である。
【図１２】図１０に示す芳香剤装置の使用形態を示す斜視図である。
【符号の説明】
【００７９】
１  芳香剤装置
２、３１  容器本体
３  スプレー
４  芳香剤保持部材
５  板状の保持具
６  位置決め部材
７  操作部
１１  位置決め穴
１２  保持部材
１３  ヒンジ
１４  蓋部
１５  挿通孔
１６  スリット
１７  ガイド部
２１  開口部
２２  ピン
２３  コップ型保持具
３２  蛇腹構造
３３  開口部
３４  蓋体
【図１】
2009297098.tif 000003
【図２】
2009297098.tif 000004
【図３】
2009297098.tif 000005
【図４】
2009297098.tif 000006
【図５】
2009297098.tif 000007
【図６】
2009297098.tif 000008
【図７】
2009297098.tif 000009
【図８】
2009297098.tif 000010
【図９】
2009297098.tif 000011
【図１０】
2009297098.tif 000012
【図１１】
2009297098.tif 000013
【図１２】
2009297098.tif 000014